(57)【要約】【課題】内枠から前面枠を開放する際にシャッター機構を備えた球通路に残留する遊技球の球噛みに起因する球零れを防止した遊技機を提供する。【解決手段】シャッター部材２９は、下前面枠５ｂが閉じた状態では開放位置にあるため、上流側球誘導樋２３と下流側球誘導樋２４とが連通して形成される球誘導路３０を遊技球Ｙが球受け皿９へ流下する。また、下前面枠５ｂが開放されると下流側球誘導樋２４へ遊技球Ｙが流下するのを遮断する遮断位置へ移動して球誘導路３０の対向面側に揺動可能に軸支された揺動部材３３との協働により遊技球Ｙが零れ落ちるのを堰き止める。【選択図】図８
2011135997.tif 000002
【特許請求の範囲】
【請求項１】
遊技盤を保持する内枠の前面側にヒンジを介して開閉可能に設けられた前面枠を備え、前記内枠に設けられた球払出装置より払い出された所定数の遊技球を前記内枠側の上流側球誘導樋と前記前面枠側の下流側球誘導樋が連通して形成される球誘導路を通じて球受け皿へ払い出される遊技機であって、
前記上流側球誘導樋には、前記前面枠が閉じた状態で前記球誘導路から退避し下流側球誘導樋と連通して形成される球誘導路を遊技球が前記球受け皿へ流下するのを許容する開放位置と、前記前面枠が開放されると前記球誘導路に進入し前記下流側球誘導樋へ遊技球が流下するのを遮断する遮断位置との間で移動可能に設けられているシャッター部材と、
前記シャッター部材が進退動する前記球誘導路の対向面側に揺動可能に軸支され、前記前面枠が開放された際に前記シャッター部材と協働して遊技球が零れ落ちるのを堰き止める揺動部材と、
を具備したことを特徴とする遊技機。
【請求項２】
前記揺動部材は、前記球誘導路を形成する球当接面に前記シャッター部材によって遊技球が押し当てられて揺動する請求項１記載の遊技機。
【請求項３】
前記シャッター部材と揺動部材とは付勢部材を介して連結され相対的に近接するように常時引き寄せられる向きに付勢されており、前記前面枠が開放されると前記シャッター部材が揺動部材に向って引き寄せられて前記遮断位置に移動する請求項１又は２記載の遊技機。
【請求項４】
前記前面枠が開放された際に、前記シャッター部材が球誘導路を遮断して当該球誘導路に存在する遊技球を揺動部材との間で挟み込むと、挟み込まれた遊技球が前記球誘導路から退避するように前記揺動部材が揺動する請求項１乃至３のいずれか１項記載の遊技機。
【発明の詳細な説明】
【技術分野】
【０００１】
本発明は、遊技機に関する。
【背景技術】
【０００２】
パチンコ機などの遊技機には、矩形状の外枠に対して内枠が開閉可能に組み付けられ、該内枠には前面枠が開閉可能に設けられている。内枠の遊技者から視認可能な前面側には遊技盤が着脱可能に組み付けられている。また、前面枠には球受け皿が設けられている。球受け皿に貯留された遊技球を発射装置の発射位置へ誘導し、前面枠に設けた発射ハンドルの操作により発射装置を作動させる。
【０００３】
また、内枠の背面側には、ホールの島から供給された遊技球を各パチンコ機に貯留する貯留タンク、貯留タンクの遊技球を下流側へ誘導するタンクレール、タンクレールから球圧を分散させなから流下させる球通路、球通路より供給された遊技球を、所定の条件に基づいて賞球・貸球として遊技球を払い出す球払出装置が設けられている。球払出装置から払出通路を経て内枠開口部より払い出された遊技球は前面枠に設けられた球受け皿に一時的に貯留される。
【０００４】
ホール店員が、遊技中のパチンコ機の点検や球詰まりを解消するため前面枠を開放する場合がある。このとき、球受け皿が満杯で球払出通路まで球払出装置から払い出された遊技球で満たされていたり、入賞により賞球の払出し動作が行われていたりすると、内枠開口部や開放された前面枠に滞留している遊技球が零れ落ちる可能性がある。
【０００５】
かかる不具合を解消するため、内枠の球払出通路の一部に開閉可能なシャッター機構が設けられている。シャッター機構は、前面枠が閉じた状態では球払出通路よりシャッターが退避した位置にあり、前面枠の開放動作と共にシャッターが対向する連動レバーの阻止部とともに球払出通路を遮断して遊技球が零れるのを防ぐようになっている（特許文献１参照）。
【先行技術文献】
【特許文献】
【０００６】
【特許文献１】特許第４１９５３４０号公報
【発明の開示】
【発明が解決しようとする課題】
【０００７】
上述した特許文献１の遊技機においては、前面枠を開放する際に、球払出通路に払い出された遊技球の蓄積状態によっては、シャッターが球払出通路を遮断する際に、遊技球を阻止部との間で噛み込む（所謂球噛みを生ずる）おそれがあった（特許文献１；図１４参照）。
上記球噛みを生じたまま前面枠が開放されると、球噛みを起こした遊技球は不安定な状態にあるため零れ落ちるおそれがあり、球払出通路に連なる後続の球圧により複数の遊技球が散乱するおそれもある。
【０００８】
本発明の目的は、上記従来技術の課題を解決し、内枠から前面枠を開放する際にシャッター機構を備えた球通路に残留する遊技球の球噛みに起因する球零れを防止した遊技機を提供することにある。
【課題を解決するための手段】
【０００９】
本発明は上記目的を達成するため、次の構成を備えることを特徴とする。
遊技盤を保持する内枠の前面側にヒンジを介して開閉可能に設けられた前面枠を備え、前記内枠に設けられた球払出装置より払い出された所定数の遊技球を前記内枠側の上流側球誘導樋と前記前面枠側の下流側球誘導樋が連通して形成される球誘導路を通じて球受け皿へ払い出される遊技機であって、前記上流側球誘導樋には、前記前面枠が閉じた状態で前記球誘導路から退避し下流側球誘導樋と連通して形成される球誘導路を遊技球が前記球受け皿へ流下するのを許容する開放位置と、前記前面枠が開放されると前記球誘導路に進入し前記下流側球誘導樋へ遊技球が流下するのを遮断する遮断位置との間で移動可能に設けられているシャッター部材と、前記シャッター部材が進退動する前記球誘導路の対向面側に揺動可能に軸支され、前記前面枠が開放された際に前記シャッター部材と協働して遊技球が零れ落ちるのを堰き止める揺動部材と、を具備したことを特徴とする。
【００１０】
また、前記揺動部材は、前記球誘導路を形成する球当接面に前記シャッター部材によって遊技球が押し当てられて揺動することを特徴とする。
【００１１】
また、前記シャッター部材と揺動部材とは付勢部材を介して連結され相対的に近接するように常時引き寄せられる向きに付勢されており、前記前面枠が開放されると前記シャッター部材が揺動部材に向って引き寄せられて前記遮断位置に移動することを特徴とする。
【００１２】
また、前記前面枠が開放された際に、前記シャッター部材が球誘導路を遮断して当該球誘導路に存在する遊技球を揺動部材との間で挟み込むと、挟み込まれた遊技球が前記球誘導路から退避するように前記揺動部材が揺動することを特徴とする。
【発明の効果】
【００１３】
上述した遊技機を用いれば、シャッター部材は、前面枠が閉じた状態では球誘導路から退避した開放位置にあるため、上流側球誘導樋と下流側球誘導樋とが連通して形成される球誘導路を遊技球が球受け皿へ流下する。また、前面枠が開放されると球誘導路に進入し下流側球誘導樋へ遊技球が流下するのを遮断する遮断位置へ移動して球誘導路の対向面側に揺動可能に軸支された揺動部材との協働により遊技球が零れ落ちるのを堰き止める。シャッター部材が閉じたときに球誘導路の対向面側の揺動部材が揺動可能であるため、球噛みは起こり難く、球噛みによる球零れを防ぐことができる。
【００１４】
また、揺動部材は、球誘導路を形成する球当接面にシャッター部材によって遊技球が押し当てられて揺動するので、前面枠の開放に伴うシャッター部材による不安定な球噛み状態は起こり難くなる。
【００１５】
また、シャッター部材と揺動部材とは相対的に近接するように付勢部材を介して連結され常時引き寄せられる向きに付勢されていると、上流側球誘導樋と下流側球誘導樋との境界である球誘導路に遊技球が存在してもシャッター部材と揺動部材が相対的に近接することにより球誘導路を遮断して遊技球が落下するのを防ぐことができる。
【００１６】
また、前面枠が閉じた状態のとき、シャッター部材が球誘導路から退避する開放位置にあるので、付勢部材によって揺動部材を球誘導路側に引き付けられることとなる。よって、遊技球が球通路を流下しているときに揺動部材に遊技球が衝突しても揺動部材が大きく揺動することが無いので、遊技球の流下に影響を与えることがない。
また、前面枠が開いた状態のとき、シャッター部材が球誘導路に進入する遮断位置にあるので、シャッター部材によって対向面側（揺動部材側）に押された遊技球により揺動部材の先端部が球誘導路から離間した位置に揺動しても、付勢部材によりシャッター部材を球誘導路側に引き付けることとなるので、遮断位置を確実に保持することができる。よって、前面枠の開閉動作に伴う球零れを防ぐことができる。
【００１７】
また、前面枠が開放された際に、シャッター部材が球誘導路を遮断して当該球誘導路に存在する遊技球を揺動部材との間で挟み込むと、挟み込まれた遊技球を球誘導路から退避させるように揺動部材が揺動する。よって、揺動した揺動部材の球当接面と後続球及びシャッター部材の３点により遊技球が挟み込まれた状態となるので、不安定な球噛み状態は発生せず、球噛みに起因する球零れを確実に防止することができる。
【図面の簡単な説明】
【００１８】
【図１】パチンコ機の正面図である。
【図２】図１のパチンコ機の背面図である。
【図３】図１のパチンコ機の前面枠を開放した状態の要部拡大斜視図である。
【図４】上流側球誘導樋の上部斜視図、側面図、下部斜視図である。
【図５】上流側球誘導樋の分解斜視図である。
【図６】前面枠を内枠へ閉じた状態の上流側球誘導樋及び下流側球誘導樋の側面図及び断面図である。
【図７】前面枠を開放した状態の上流側球誘導樋及び下流側球誘導樋の断面図である。
【図８】前面枠を内枠から開放しかつ揺動部材が傾動した状態の上流側球誘導樋及び下流側球誘導樋の断面図である。
【発明を実施するための形態】
【００１９】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２０】
先ずパチンコ機１の概略構成について説明すると、図１においてパチンコ機１の外形をなす矩形状の外枠２の側部に対してヒンジ４ａ，４ｂにより内枠３（図２参照）が開閉可能に取り付けられ、該内枠３の側部に対してヒンジ（図示せず）により上前面枠５ａ及び下前面枠５ｂが開閉可能に取り付けられている。
【００２１】
上前面枠５ａの中央部には遊技者が遊技盤６を視認できる窓部（ガラス枠）７が設けられている。該窓部７の上方にはスピーカー８や装飾部（図示せず）などが設けられる。また、窓部７の下方には、貸球や賞球を貯留し図示しない球発射装置へ球を誘導する球受け皿９が設けられている。球受け皿９の右側には、図示しない球発射装置を作動及び発射力を調整するための発射ハンドル１０が設けられている。
【００２２】
遊技盤６の盤面上に形成される遊技領域内には、中央部に図柄表示装置（液晶表示装置）１１を備えたセンター役物１１ａが設けられ、その周囲には図示しない釘、スルーチャッカー１２、風車１３、電動チューリップ１４、アタッカー１５、遊技盤レール１６、サイドランプ１７などの盤面部品やアウト球（電動チューリップ１４，アタッカー１５に入賞しなかった遊技球）を回収するアウト口１８などが設けられている。
【００２３】
図２において、内枠３の背面側上辺部には貯留タンク１９が設けられ、貯留タンク１９にはパチンコ機１が配置されたホールの島から遊技球が供給される。貯留タンク１９は、球供給方向下流側（図２の右端側）に設けられるタンクレール２０に向けて底部が下方に傾斜するように形成されている。また、タンクレール２０は上下方向に流下する球通路２１を通じて球払出装置２２と接続されている。球払出装置２２は球通路２１より供給される遊技球を貸球、賞球として順次払い出す。球払出装置２２より払い出された遊技球は、球払出通路２２ａを経て内枠３に設けられる上流側球誘導樋２３及び下前面枠５ｂに設けられる下流側球誘導樋２４（図３参照）を通じて開口部５ｃを通じて球受け皿９（図１参照）へ払い出される。
【００２４】
また、遊技盤６の背面側は盤裏カバー２５に覆われている。この盤裏カバー２５には、図柄表示装置１１とこれを制御する画像処理基板等（図示せず）が覆われている。また、パチンコ機１の遊技動作を統括制御する主制御基板は、基板収納ケース２６に収納されて封止されている。図示しないが、主制御基板のほかに、球払出装置２２の動作を制御する払出制御基板、球発射装置（図示せず）の動作を制御する発射制御基板などが設けられている。
【００２５】
また、内枠３の開放端側（図２の左端側）にはシリンダ錠２７（図１参照）に連繋した施錠装置２８が設けられている。シリンダ錠２７はキーを差し込んで一方向へ回転させると外枠２と内枠３が開錠され、他方向へ回転させると上前面枠５ａと内枠３が開錠するようになっている。
【００２６】
次に、球払出装置２２より払い出された遊技球の球誘導路の構成について、図３乃至図８を参照して説明する。図３に示すように球払出装置２２（図２参照）より払い出された所定数の遊技球を上流側球誘導樋２３と下前面枠５ｂ側に設けられた下流側球誘導樋２４が連通して形成される球誘導路３０（図６（ｂ）参照）を球受け皿９（図１参照）へ払い出される。
【００２７】
図６（ｂ）において、上流側球誘導樋２３は、球通路を形成する誘導樋本体２３ａが設けられている。球誘導樋本体２３ａは上部開口部２３ｂより流下した遊技球を前後方向に向きを変えて誘導する球通路２３ｃが形成されている。
シャッター部材２９は、上流側球誘導樋２３と下流側球誘導樋２４が連通して形成される球誘導路３０を開閉する。シャッター部材２９は誘導樋本体２３ａに嵌め込まれた軸ピン３１を中心に回転可能に組み付けられている。軸ピン３１の軸端には、Ｅリング３２（図６（ａ）参照）が嵌め込まれて誘導樋本体２３ａより抜け止めされている。軸ピン３１は、球通路２３ｃ内を遊技球が上下方向から前後方向へ流下するコーナー部の下方に設けられているため、シャッター部材２９を軸ピン３１を中心とする回転半径をコンパクトに上流側球誘導樋２３に組み付けることができる。
【００２８】
シャッター部材２９は、下前面枠５ｂが閉じた状態で形成される球誘導路３０から退避し遊技球が球受け皿９へ流下するのを許容する開放位置と、下前面枠５ｂが開放されると球誘導路３０に進入し下流側球誘導樋２４へ遊技球が流下するのを遮断する遮断位置との間で回転移動可能に設けられている。尚、シャッター２９は、回転移動に限らずスライド移動する構成でもよい。
【００２９】
また、揺動部材３３は誘導樋本体２３ａに嵌め込まれた軸ピン３４を中心に回転可能に組み付けられている。軸ピン３４の軸端には、Ｅリング３５（図４（ａ）参照）が嵌め込まれて球誘導樋本体２３ａより抜け止めされている。揺動部材３３は、シャッター部材２９が進退する球誘導路３０の対向面側に軸ピン３４を中心に揺動可能に軸支され、下前面枠５ｂが開放された際にシャッター部材２９と協働して遊技球が零れ落ちるのを堰き止める。
【００３０】
下前面枠５ｂが開放されると、揺動部材３３はシャッター部材２９により遊技球を堰き止められた際に球誘導路３０の一部を形成する誘導位置（図７参照）と、上流側球誘導樋２３と下流側球誘導樋２４との境界である球誘導路３０に存在する遊技球がシャッター部材２９によって球当接面３３ｂに押し当てられて揺動する揺動位置（図８参照）との間を揺動可能に設けられている。
【００３１】
図５において、シャッター部材２９の自由端の両側部には係止部２９ａが各々突設されており、揺動部材３３の自由端の両側部には係止部３４ａが各々突設されている。図４（ａ）〜（ｃ）に示すように、係止部２９ａと係止部３３ａとの間には引っ張りばね（付勢部材）３６が両側で各々連結されている。
これにより、シャッター部材２９と揺動部材３３とは相対的に引き寄せられる向きに常時付勢されて上流側球誘導樋２３に組み付けられている。
【００３２】
また、揺動部材３３の軸ピン３４は上流側球誘導樋２３の下流側端部に設けられ、揺動部材３３は軸ピン３４より上流側の自由端側で引っ張りばね３６によって引っ張り方向に付勢されている。よって、下前面枠５ｂが閉じた状態で揺動部材３３に遊技球が衝突しても揺動部材３３が大きく揺動することが無いので、遊技球の流下に影響を与えることがない（図６（ｂ）参照）。
また、下前面枠５ｂを開放した際に、シャッター部材２９によって球当接面３３ｂに押し当てられた遊技球Ｙにより揺動部材３３の先端部が球誘導路３０から離間した位置へ揺動しても、引っ張りばね３６によりシャッター部材２９を球誘導路３０側に引き付けることとなるので、遮断位置を確実に保持することができる（図８参照）。よって、下前面枠５ｂの開閉動作に伴う球零れを防ぐことができる。
【００３３】
図３において、下流側球誘導樋２４の下部には、シャッター部材２９の遮断位置から開放位置へ移動させるシャッター切替部３７が設けられている。図６（ｂ）に示すようにシャッター切替部３７は、金属製のステー３７ａが、一端を誘導樋本体２４ａの下部にビス３７ｂにより組み付けられている。ステー３７ａの内枠３と対向する先端部には突き当てブロック３７ｃがビス３７ｄにより固定されている。一方、シャッター部材２９の軸ピン３１の近傍下部には突き当て突起２９ｂが突設されている。
【００３４】
図６（ｂ）に示すように、下前面枠５ｂを閉じた状態では、ステー３７ａの先端突き当てブロック３７ｃが突き当て突起２９ｂに突き当たって押動するので、シャッター部材２９は引っ張りばね３６の引っ張り力に抗して軸ピン３１を中心に反時計回り方向に回転して開放位置となり、球誘導路３０を連通状態としている。
【００３５】
また、図７に示すように、下前面枠５ｂの開放動作にともなって、ステー３７ａの先端突き当てブロック３７ｃが突き当て突起２９ｂより離間するので、シャッター部材２９が引っ張りばね３６の引っ張り力により軸ピン３１を中心に時計回り方向に回転してシャッター部材２９が揺動部材３３に近接するように遮断位置へ移動し、球誘導通路３０を遮断するようになっている。これによって、上流側球誘導樋２３に存在する先頭の遊技球Ｙが堰き止められるため、下前面枠５ｂの開放によって球零れは生じない。このとき、揺動部材３３は遊技球Ｙが押し当てられることがないので誘導位置に保持されている。
【００３６】
また、図８において、下前面枠５ｂが開放された際に、シャッター部材２９が遮断位置へ移動し球誘導路３０を遮断するが、上流側球誘導樋２３と下流側球誘導樋２４との界面に存在する遊技球Ｙが揺動部材３３の球当接面３３ｂとの間で挟み込まれる（球噛みが発生する）場合がある。しかしながら、シャッター部材２９によって遊技球Ｙが球当接面３３ｂに押し当てられて揺動部材３３が軸ピン３４を中心に反時計回り方向へ所定量揺動位置まで揺動する。このとき、シャッター部材２９と揺動部材３３が相対的に近接するとともに揺動部材３３の遊技球Ｙとの球当接面３３ｂが上流側に向けて揺動し、遊技球Ｙは揺動部材３３の球当接面３３ｂと後続球及びシャッター部材２９の先端部に各々当接して３点で挟み込まれた状態となる。これにより、不安定な球噛み状態は発生せず、球零れを確実に防止することができる。
【００３７】
尚、シャッター部材２９及び揺動部材３３は、パチンコ機１の前後方向に形成される球誘導路に設けられていたが、上下方向の球誘導路に設けられていても良い。
また、前面枠が上前面枠５ａと下前面枠５ｂに分割されている場合について説明したが、前面枠が一体に形成されている場合にも適用できる。
また、上述した実施形態では遊技機の一例としてパチンコ機について説明したが、他の遊技機、例えば雀球遊技機やアレンジボール遊技機などに適用してもよい。
【符号の説明】
【００３８】
１  パチンコ機  
２  外枠  
３  内枠  
４ａ，４ｂ  ヒンジ  
５ａ  上前面枠  
５ｂ  下前面枠  
５ｃ  開口部  
６  遊技盤  
７  窓部  
８  スピーカー  
９  球受け皿  
１０  発射ハンドル  
１１  図柄表示装置(液晶表示装置)
１１ａ  センター役物  
１２  スルーチャッカー  
１３  風車  
１４  電動チューリップ  
１５  アタッカー  
１６  遊技盤レール    
１７  サイドランプ  
１８  アウト口  
１９  貯留タンク  
２０  タンクレール  
２１  球通路  
２２  球払出装置  
２２ａ  球払出通路
２３  上流側球誘導樋  
２３ａ，２４ａ  誘導樋本体  
２３ｂ  上部開口部  
２３ｃ  球通路  
２４  下流側球誘導樋  
２５  盤裏カバー  
２６  基板収納ケース  
２７  シリンダ錠  
２８  施錠装置  
２９  シャッター部材  
２９ａ，３３ａ  係止部  
２９ｂ  突き当て突起  
３０  球誘導路  
３１，３４  軸ピン  
３２，３５  Ｅリング  
３３  揺動部材  
３３ｂ  球当接面
３６  引っ張りばね  
３７  シャッター切替部  
３７ａ  ステー  
３７ｂ，３７ｄ  ビス  
３７ｃ  突き当てブロック
【図１】
2011135997.tif 000003
【図２】
2011135997.tif 000004
【図３】
2011135997.tif 000005
【図４】
2011135997.tif 000006
【図５】
2011135997.tif 000007
【図６】
2011135997.tif 000008
【図７】
2011135997.tif 000009
【図８】
2011135997.tif 000010